(57)【要約】【課題】端末装置の操作者に応じた関連コンテンツを表示できる端末装置、プログラム、コンテンツ共有方法及び情報処理システムを提供することを課題とする。【解決手段】他の端末装置と対象コンテンツの表示を共有する端末装置であって、他の端末装置から送信された情報に基づいて対象コンテンツの表示を他の端末装置と共有するように表示させる対象コンテンツ表示手段と、自装置の役割を判定する役割判定手段と、対象コンテンツと関連付けられた関連コンテンツの表示命令に基づき、判定した自装置の役割に応じた関連コンテンツの格納場所から、判定した自装置の役割に応じた関連コンテンツを取得して表示する関連コンテンツ表示手段と、を有することにより、上記課題を解決する。【選択図】  図１
2020166898.tif 000002
【特許請求の範囲】
【請求項１】
他の端末装置と対象コンテンツの表示を共有する端末装置であって、
前記他の端末装置から送信された情報に基づいて前記対象コンテンツの表示を前記他の端末装置と共有するように表示させる対象コンテンツ表示手段と、
自装置の役割を判定する役割判定手段と、
前記対象コンテンツと関連付けられた関連コンテンツの表示命令に基づき、前記判定した自装置の役割に応じた前記関連コンテンツの格納場所から、前記判定した自装置の役割に応じた前記関連コンテンツを取得して表示する関連コンテンツ表示手段と、
を有する端末装置。
【請求項２】
前記自装置の役割は、前記他の端末装置と前記対象コンテンツの表示を共有開始してから終了するまでの間に動的に変化すること
を特徴とする請求項１に記載の端末装置。
【請求項３】
前記関連コンテンツ表示手段は、前記判定した役割に応じた前記関連コンテンツの格納場所を、役割と前記関連コンテンツの格納場所とが関連付けて記憶された記憶部を参照することによって特定することを特徴とする請求項１又は２に記載の端末装置。
【請求項４】
前記対象コンテンツと関連付けられた関連コンテンツ一覧の表示命令に基づき、前記対象コンテンツと関連付けられた関連コンテンツ情報が記憶された記憶部を参照し、前記対象コンテンツ表示手段により表示されている前記対象コンテンツと関連付けられた関連コンテンツ一覧を表示して、前記関連コンテンツ一覧からの前記関連コンテンツの選択を操作者から受け付け、選択された前記関連コンテンツの表示命令を前記他の端末装置に送信する表示命令送信手段、を更に有すること
を特徴とする請求項１乃至３何れか一項に記載の端末装置。
【請求項５】
前記表示命令送信手段は、自装置の役割が前記関連コンテンツ一覧の表示命令を行う権限があるか否かを、役割に応じた権限情報が記憶された記憶部を参照して判定し、前記関連コンテンツ一覧の表示命令を行う権限があるときに、前記対象コンテンツと関連付けられた関連コンテンツ一覧を表示すること
を特徴とする請求項４に記載の端末装置。
【請求項６】
前記役割に応じた前記関連コンテンツは、少なくとも回答を行う役割の操作者からの回答を受け付ける画面のデータと、回答結果を確認する役割の操作者に回答結果を閲覧させる画面のデータと、を含むこと
を特徴とする請求項１乃至５何れか一項に記載の端末装置。
【請求項７】
前記役割に応じた前記関連コンテンツは、少なくともアンケートに回答を行う役割の操作者からのアンケートの回答を受け付けるアンケート回答画面のデータと、アンケートの回答結果を確認する役割の操作者にアンケートの回答結果を閲覧させるアンケート集計画面のデータと、を含むこと
を特徴とする請求項６に記載の端末装置。
【請求項８】
アンケートに回答を行う役割の操作者により操作される前記端末装置に含まれる前記関連コンテンツ表示手段は、前記アンケート回答画面から受け付けた前記操作者からのアンケートの回答を、アンケートの回答結果を集計する情報処理装置に送信し、
アンケートの回答結果を確認する役割の操作者により操作される前記端末装置に含まれる前記関連コンテンツ表示手段は、前記情報処理装置により集計されたアンケートの回答結果が反映されている前記アンケート集計画面を取得して表示すること
を特徴とする請求項７に記載の端末装置。
【請求項９】
アンケートに回答を行う役割の操作者により操作される前記端末装置又はアンケートの回答結果を確認する役割の操作者により操作される前記端末装置の画面を表示するディスプレイ装置、に含まれる前記関連コンテンツ表示手段は、取得した前記情報処理装置により集計されたアンケートの回答結果が反映されている前記アンケート集計画面を、前記アンケートの回答結果を確認する役割の操作者により操作される前記端末装置からの表示を許可する旨を示す情報の受信を契機として表示すること
を特徴とする請求項８に記載の端末装置。
【請求項１０】
コンピュータを、
他の端末装置から送信された情報に基づいて対象コンテンツの表示を前記他の端末装置と共有するように表示させる対象コンテンツ表示手段、
自装置の役割を判定する役割判定手段、
前記対象コンテンツと関連付けられた関連コンテンツの表示命令に基づき、前記判定した自装置の役割に応じた前記関連コンテンツの格納場所から、前記判定した自装置の役割に応じた前記関連コンテンツを取得して表示する関連コンテンツ表示手段、
として機能させるためのプログラム。
【請求項１１】
他の端末装置と対象コンテンツの表示を共有する端末装置において実行されるコンテンツ共有方法であって、
前記他の端末装置から送信された情報に基づいて前記対象コンテンツの表示を前記他の端末装置と共有するように表示させる対象コンテンツ表示ステップと、
自装置の役割を判定する役割判定ステップと、
前記対象コンテンツと関連付けられた関連コンテンツの表示命令に基づき、前記判定した自装置の役割に応じた前記関連コンテンツの格納場所から、前記判定した自装置の役割に応じた前記関連コンテンツを取得して表示する関連コンテンツ表示ステップと、
を有するコンテンツ共有方法。
【請求項１２】
情報処理装置と、前記情報処理装置を介して対象コンテンツの表示を共有する複数の端末装置と、を有する情報処理システムであって、
前記情報処理装置は、
表示共有の対象となる対象コンテンツ、前記対象コンテンツと関連付けられた関連コンテンツの情報、役割に応じた前記関連コンテンツの格納場所、を記憶する記憶手段と、
前記表示共有の対象となる対象コンテンツ、前記対象コンテンツと関連付けられた関連コンテンツ情報、役割に応じた前記関連コンテンツの格納場所を前記端末装置に送信して前記複数の端末装置間での前記対象コンテンツの表示共有及び前記関連コンテンツの表示命令の前記複数の端末装置への配信を制御する制御手段と、
を有し、
前記端末装置は、
他の端末装置から送信された情報に基づいて前記対象コンテンツの表示を前記他の端末装置と共有するように表示させる対象コンテンツ表示手段と、
自装置の役割を判定する役割判定手段と、
前記対象コンテンツと関連付けられた関連コンテンツの表示命令に基づき、前記判定した自装置の役割に応じた前記関連コンテンツの格納場所から、前記判定した自装置の役割に応じた前記関連コンテンツを取得して表示する関連コンテンツ表示手段と、
を有する情報処理システム。
【請求項１３】
複数の端末装置間で対象コンテンツの表示を共有する情報処理システムであって、
表示共有の対象となる対象コンテンツ、前記対象コンテンツと関連付けられた関連コンテンツの情報、役割に応じた前記関連コンテンツの格納場所、を記憶する記憶手段と、
前記表示共有の対象となる対象コンテンツ、前記対象コンテンツと関連付けられた関連コンテンツ情報、役割に応じた前記関連コンテンツの格納場所を前記複数の端末装置に送信して前記複数の端末装置間での前記対象コンテンツの表示共有及び前記関連コンテンツの表示命令の前記複数の端末装置への配信を制御する制御手段と、
を有し、
前記端末装置は、
他の端末装置から送信された情報に基づいて前記対象コンテンツの表示を前記他の端末装置と共有するように表示させる対象コンテンツ表示手段と、
自装置の役割を判定する役割判定手段と、
前記対象コンテンツと関連付けられた関連コンテンツの表示命令に基づき、前記判定した自装置の役割に応じた前記関連コンテンツの格納場所から、前記判定した自装置の役割に応じた前記関連コンテンツを取得して表示する関連コンテンツ表示手段と、
を有する情報処理システム。
【発明の詳細な説明】
【技術分野】
【０００１】
本発明は端末装置、プログラム、コンテンツ共有方法及び情報処理システムに関する。
【背景技術】
【０００２】
従来、発表者の情報処理端末によって設定されたアンケートを聴衆の情報処理端末に対して配信し、聴衆の情報処理端末から回答する電子会議システムがある。
【０００３】
会議やプレゼンテーションの発表者がアンケートを適切なタイミングで自由に配信するため、聴衆に向けて提示される資料を保持する記憶手段と、資料のいずれかの部分に対応付けられたアンケートの配信タイミングについての設定を受付ける設定手段と、発表者による資料についての進行に伴って、設定された配信タイミングの到来を判断する判断手段と、配信タイミングが到来したときに、対応するアンケートを配信する配信手段と、当該アンケートに対する回答を受付ける回答手段とを含む情報処理装置は従来から知られている（例えば特許文献１参照）。
【発明の概要】
【発明が解決しようとする課題】
【０００４】
アンケートを配信する従来の電子会議システムでは、資料のいずれかの部分に対応付けられたアンケートの配信タイミングについての設定を受付け、発表者による資料についての進行に伴って、設定された配信タイミングが到来したときに、対応するアンケートを配信していた。したがって、アンケートを配信する従来の電子会議システムでは、発表者や聴衆などの情報処理端末の操作者によって配信するアンケートの内容を変えることはできなかった。
【０００５】
このような問題は、アンケートを配信する電子会議システムと同様、共有の対象となるコンテンツ（以下、対象コンテンツと呼ぶ）の表示を行う複数の端末装置において、対象コンテンツ以外のコンテンツ（以下、関連コンテンツ）の表示を開始する情報処理システムにおいても共通に存在する。
【０００６】
本発明の実施の形態は、上記の点に鑑みなされたもので、端末装置の操作者に応じた関連コンテンツを表示できる端末装置、プログラム、コンテンツ共有方法及び情報処理システムを提供することを目的とする。
【課題を解決するための手段】
【０００７】
上記目的を達成するため、本願請求項１は、他の端末装置と対象コンテンツの表示を共有する端末装置であって、前記他の端末装置から送信された情報に基づいて前記対象コンテンツの表示を前記他の端末装置と共有するように表示させる対象コンテンツ表示手段と、自装置の役割を判定する役割判定手段と、前記対象コンテンツと関連付けられた関連コンテンツの表示命令に基づき、前記判定した自装置の役割に応じた前記関連コンテンツの格納場所から、前記判定した自装置の役割に応じた前記関連コンテンツを取得して表示する関連コンテンツ表示手段と、を有することを特徴とする。
【発明の効果】
【０００８】
本発明の実施の形態によれば、端末装置の操作者に応じた関連コンテンツを表示することができる。
【図面の簡単な説明】
【０００９】
【図１】本実施形態に係る会議システムの一例の構成図である。
【図２】本実施形態に係る会議システムを構成するコンピュータの一例のハードウェア構成図である。
【図３】会議クライアント装置の一例の機能ブロック図である。
【図４】会議サーバ装置の一例の機能ブロック図である。
【図５】会議情報の一例の構成図である。
【図６】資料情報の一例の構成図である。
【図７】アンケート情報の一例の構成図である。
【図８】役割情報の一例の構成図である。
【図９】会議参加処理の一例のフローチャートである。
【図１０】会議クライアント装置が受信するアンケート情報の一例の構成図である。
【図１１】役割判定処理の一例のフローチャートである。
【図１２】役割テーブルの一例の構成図である。
【図１３】アンケート開始処理の一例のフローチャートである。
【図１４】アンケート一覧が表示された発表者の会議画面の一例のイメージ図である。
【図１５】アンケート一覧が表示されたオペレータの会議画面の一例のイメージ図である。
【図１６】参加者の会議画面の一例のイメージ図である。
【図１７】アンケート開始命令の一例の構成図である。
【図１８】アンケート表示処理の一例のフローチャートである。
【図１９】アンケート回答画面の一例のイメージ図である。
【図２０】アンケート結果を会議サーバ装置１２に送信したあとのアンケート回答画面の一例のイメージ図である。
【図２１】アンケート集計画面の一例のイメージ図である。
【図２２】アンケート結果集計処理の一例のシーケンス図である。
【発明を実施するための形態】
【００１０】
次に、本発明の実施の形態について、詳細に説明する。
［第１の実施形態］
＜システム構成＞
図１は本実施形態に係る会議システムの一例の構成図である。図１の会議システム１は複数の会議クライアント装置１０、会議サーバ装置１２、会議ディスプレイ装置１４がＬＡＮなどのネットワークＮ１に接続される構成を一例として示している。
【００１１】
会議サーバ装置１２は会議情報、会議資料等の管理を行うと共に、会議の開催や参加制御、参加中の会議クライアント装置１０に対して発表者の入力操作をリアルタイムに配信する機能等を有する。
【００１２】
会議サーバ装置１２は１つのコンピュータ上で動作するソフトウェアやサービスにより実現できる。また、会議サーバ装置１２は複数のコンピュータ上で動作するソフトウェアやサービスであってもよい。また、会議サーバ装置１２は例えば所謂クラウドサービスの形態をとることもできる。なお、会議サーバ装置１２は会議サーバ機能を備えていればよく、様々なハードウェア構成により実現できる。
【００１３】
会議クライアント装置１０は、会議情報、会議資料等を会議サーバ装置１２から取得して会議の発表者や参加者などの操作者から会議の進行に必要な操作を受け付けたり、会議資料を閲覧させたりする機能等を有する。会議の発表者や参加者などの操作者は会議クライアント装置１０から会議に参加できる。
【００１４】
会議クライアント装置１０はＰＣやタブレット端末、スマートフォンや携帯電話、ＰＤＡなどの携帯情報端末、会議専用端末、電子ホワイトボード、ＭＦＰやプリンタなどの画像形成装置であってもよい。会議クライアント装置１０は会議への参加中、会議サーバ装置１２から発表者の入力操作をリアルタイムに受信し、他の会議クライアント装置１０と表示画面の共有を行う。
【００１５】
なお、会議クライアント装置１０のうちの一台は発表者が操作し、会議の開始、会議の終了を会議サーバ装置１２に要求できる。会議クライアント装置１０は共有モード・個人モードという２種類のモードに切り替え可能である。例えば共有モードでは発表者の会議の進行に沿って参加者の会議クライアント装置１０の画面上の会議資料が発表者の会議クライアント装置１０の画面上の会議資料と同期表示される。同期される表示は、例えば会議資料のページ表示、会議資料に対する書き込み（手書きメモ）の表示、会議資料に対するポインターの表示、を含む。
【００１６】
また、個人モードでは発表者の会議の進行によらず、画面上の会議資料を発表者の会議クライアント装置１０の画面上の会議資料と同期することなく自由に表示（非同期表示）できる。会議資料は発表者からの入力操作（例えば表示ページの変更や手書きメモの追加など）を受け付ける対象コンテンツの一例である。
【００１７】
会議ディスプレイ装置１４は例えば会議室に設置され、会議資料を大画面で閲覧させるための出力装置の一例である。会議ディスプレイ装置１４は電子ホワイトボード等の表示装置やプロジェクタ等の投影装置等であってもよい。
【００１８】
なお、図１の会議システム１は一例であって、必ずしも図１に示した全ての装置を必要とするものではない。例えば会議システム１は、会議サーバ装置１２の機能を一台以上の会議クライアント装置１０が代わりに行う構成であってもよい。また、会議システム１は会議ディスプレイ装置１４が無い構成であってもよい。
【００１９】
さらに、会議システム１は、会議サーバ装置１２の一部の機能を他の装置で実現してもよい。例えば図１の会議システム１は会議サーバ装置１２のアンケートに関する機能を実現するアンケートサーバ装置を有する構成であってもよい。
【００２０】
＜ハードウェア構成＞
会議クライアント装置１０、会議サーバ装置１２は、例えば図２に示すハードウェア構成により実現される。
【００２１】
図２は本実施形態に係る会議システムを構成するコンピュータの一例のハードウェア構成図である。図２の会議クライアント装置１０は、入力装置５０１、表示装置５０２、外部Ｉ／Ｆ５０３、ＲＡＭ５０４、ＲＯＭ５０５、ＣＰＵ５０６、通信Ｉ／Ｆ５０７、ＨＤＤ５０８等を備え、それぞれがバスＢで相互に接続されている。なお、会議クライアント装置１０はカメラ、マイク、スピーカなどを有する構成であってもよい。
【００２２】
入力装置５０１はキーボードやマウス、タッチパネルなどを含み、会議クライアント装置１０に各操作信号を入力するのに用いられる。また、表示装置５０２はディスプレイ等を含み、会議クライアント装置１０による処理結果を表示する。通信Ｉ／Ｆ５０７は会議クライアント装置１０をネットワークＮ１に接続するインタフェースである。会議クライアント装置１０は通信Ｉ／Ｆ５０７を介して会議サーバ装置１２とデータ通信を行うことができる。
【００２３】
ＨＤＤ５０８はプログラムやデータを格納している不揮発性の記憶装置である。格納されるプログラムやデータには会議クライアント装置１０全体を制御する基本ソフトウェアであるＯＳ、及びＯＳ上において各種機能を提供するアプリケーションソフトウェアなどがある。また、ＨＤＤ５０８は格納しているプログラムやデータを、所定のファイルシステム及び／又はＤＢにより管理している。
【００２４】
外部Ｉ／Ｆ５０３は外部装置とのインタフェースである。外部装置には、記録媒体５０３ａなどがある。これにより、会議クライアント装置１０は外部Ｉ／Ｆ５０３を介して記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリ等がある。
【００２５】
ＲＯＭ５０５は、電源を切ってもプログラムやデータを保持することができる不揮発性の半導体メモリ（記憶装置）である。ＲＯＭ５０５には、会議クライアント装置１０の起動時に実行されるＢＩＯＳ、ＯＳ設定、及びネットワーク設定などのプログラムやデータが格納されている。ＲＡＭ５０４は、プログラムやデータを一時保持する揮発性の半導体メモリである。
【００２６】
ＣＰＵ５０６は、ＲＯＭ５０５やＨＤＤ５０８などの記憶装置からプログラムやデータをＲＡＭ５０４上に読み出し、処理を実行することで、会議クライアント装置１０全体の制御や機能を実現する演算装置である。
【００２７】
会議クライアント装置１０は、例えば上記ハードウェア構成でプログラムを実行することにより、後述するような各種処理を実現できる。
【００２８】
図２に示した会議サーバ装置１２は、入力装置６０１、表示装置６０２、外部Ｉ／Ｆ６０３、ＲＡＭ６０４、ＲＯＭ６０５、ＣＰＵ６０６、通信Ｉ／Ｆ６０７、ＨＤＤ６０８等を備え、それぞれがバスＢで相互に接続されている。なお、入力装置６０１及び表示装置６０２は必要なときに接続して利用する形態であってもよい。
【００２９】
入力装置６０１はキーボードやマウスなどを含み、会議サーバ装置１２に各操作信号を入力するのに用いられる。表示装置６０２はディスプレイ等を含み、会議サーバ装置１２による処理結果を表示する。
【００３０】
通信Ｉ／Ｆ６０７は会議サーバ装置１２をネットワークＮ１に接続するインタフェースである。会議サーバ装置１２は、通信Ｉ／Ｆ６０７を介して会議クライアント装置１０とデータ通信を行うことができる。
【００３１】
ＨＤＤ６０８は、プログラムやデータを格納している不揮発性の記憶装置である。格納されるプログラムやデータには、会議サーバ装置１２全体を制御する基本ソフトウェアであるＯＳ、及びＯＳ上において各種機能を提供するアプリケーションソフトウェアなどがある。また、ＨＤＤ６０８は格納しているプログラムやデータを、所定のファイルシステム及び／又はＤＢにより管理している。
【００３２】
外部Ｉ／Ｆ６０３は、外部装置とのインタフェースである。外部装置には、記録媒体６０３ａなどがある。これにより、会議サーバ装置１２は外部Ｉ／Ｆ６０３を介して、記録媒体６０３ａの読み取り及び／又は書き込みを行うことができる。記録媒体６０３ａにはフレキシブルディスク、ＣＤ、ＤＶＤ、ＳＤメモリカード、ＵＳＢメモリ等がある。
【００３３】
ＲＯＭ６０５は、電源を切ってもプログラムやデータを保持することができる不揮発性の半導体メモリ（記憶装置）である。ＲＯＭ６０５には、会議サーバ装置１２の起動時に実行されるＢＩＯＳ、ＯＳ設定、及びネットワーク設定などのプログラムやデータが格納されている。ＲＡＭ６０４は、プログラムやデータを一時保持する揮発性の半導体メモリである。
【００３４】
ＣＰＵ６０６は、ＲＯＭ６０５やＨＤＤ６０８などの記憶装置からプログラムやデータをＲＡＭ６０４上に読み出し、処理を実行することで、会議サーバ装置１２全体の制御や機能を実現する演算装置である。
【００３５】
会議サーバ装置１２は、例えば上記ハードウェア構成でプログラムを実行することにより、後述するような各種処理を実現できる。
【００３６】
＜ソフトウェア構成＞
本実施形態に係る会議システム１の会議クライアント装置１０、会議サーバ装置１２は例えば以下のような機能ブロックにより実現される。なお、以下に示す機能ブロックは説明に必要な構成を示したものであり、説明に不要な構成について適宜省略している。
【００３７】
《会議クライアント装置》
会議クライアント装置１０は例えば図３に示すような機能ブロックで実現される。図３は会議クライアント装置の一例の機能ブロック図である。図３に示した会議クライアント装置１０はプログラムを実行することで、会議画面表示部５１、アンケート命令送受信部５２、アンケート画面表示部５３、役割判定部５４を実現する。また、会議クライアント装置１０はプログラムを実行することで、会議情報記憶部５５、資料情報記憶部５６、アンケート情報記憶部５７、役割情報記憶部５８を実現する。会議クライアント装置１０で実行されるプログラムは例えば会議クライアント装置１０に搭載されたアプリケーションである。
【００３８】
会議画面表示部５１は会議サーバ装置１２から取得した会議情報、会議資料等を利用して会議資料を表示する。会議画面表示部５１は会議の発表者や参加者などの操作者から各種操作を受け付け、操作に応じた会議画面の表示を行う。
【００３９】
アンケート命令送受信部５２はアンケート開始権限を持つ操作者からアンケートの開始を指示された場合にアンケート開始命令を生成し、そのアンケート開始命令を会議サーバ装置１２に送信する。会議サーバ装置１２に送信されたアンケート開始命令はアンケート開始命令を送信した会議クライアント装置１０と同一の会議に参加している他の会議クライアント装置１０に配信される。アンケート命令送受信部５２は会議サーバ装置１２から配信されたアンケート開始命令を受信する。
【００４０】
アンケート開始命令を受信した会議クライアント装置１０のアンケート画面表示部５３は後述するように、操作者の役割（発表者や参加者など）に応じたアンケート画面を表示する。役割判定部５４は操作者の役割を判定する。
【００４１】
会議情報記憶部５５は会議サーバ装置１２から受信した会議情報を記憶する。資料情報記憶部５６は会議サーバ装置１２から受信した資料情報を記憶する。アンケート情報記憶部５７は会議サーバ装置１２から受信したアンケート情報を記憶する。また、役割情報記憶部５８は会議サーバ装置１２から受信した役割情報を記憶する。なお、会議情報、資料情報、アンケート情報、役割情報の詳細は後述する。
【００４２】
《会議サーバ装置》
会議サーバ装置１２は例えば図４に示すような機能ブロックで実現される。図４は会議サーバ装置の一例の機能ブロック図である。会議サーバ装置１２はプログラムを実行することで、会議制御部６１、アンケート画面生成部６２、アンケート画面送信部６３、情報管理部６４、会議情報記憶部６５、資料情報記憶部６６、アンケート情報記憶部６７、役割情報記憶部６８を実現する。
【００４３】
会議制御部６１は会議の開催や参加制御、参加中の会議クライアント装置１０に対して発表者の入力操作をリアルタイムに配信する機能等を提供する。アンケート画面生成部６２は会議クライアント装置１０の操作者の役割に応じたアンケート画面を生成する。アンケート画面送信部６３は会議クライアント装置１０の操作者の役割に応じたアンケート画面を会議クライアント装置１０に送信する。情報管理部６４は会議情報、資料情報、アンケート情報、役割情報などの管理を行う。
【００４４】
また、会議情報記憶部６５は会議情報を記憶する。資料情報記憶部６６は資料情報を記憶する。アンケート情報記憶部６７はアンケート情報を記憶する。また、役割情報記憶部６８は役割情報を記憶する。なお、会議情報、資料情報、アンケート情報、役割情報の詳細は後述する。
【００４５】
《データ構成》
図５は会議情報の一例の構成図である。図５の会議情報は項目として会議識別子、会議名、開催時刻、オペレータ識別子、開催パスワードを有する。会議識別子は会議を一意に識別する識別情報である。例えば会議ＩＤは会議識別子の一例である。会議名は会議の名称である。開催時刻は会議を開始する日時である。オペレータ識別子は会議クライアント装置１０において操作者が後述のオペレータであるか否かを判定するために利用する識別情報である。例えばオペレータＩＤはオペレータ識別子の一例である。開催パスワードは会議の開催や参加に必要な認証情報の一例である。
【００４６】
図６は資料情報の一例の構成図である。図６の資料情報は項目として資料識別子、会議識別子、資料名、種類、ＵＲＩを有する。資料識別子は会議資料を一意に識別する識別情報である。例えば資料ＩＤは資料識別子の一例である。会議識別子は会議を一意に識別する識別情報である。資料名は会議資料の名称である。種類は会議資料のデータ形式である。ＵＲＩは会議資料のデータの保存場所の情報である。
【００４７】
図７は、アンケート情報の一例の構成図である。図７のアンケート情報は項目としてアンケート識別子、資料識別子、アンケート名、回答画面ＵＲＩ、集計画面ＵＲＩを有している。
【００４８】
アンケート識別子はアンケートを一意に識別する識別情報である。例えばアンケートＩＤはアンケート識別子の一例である。資料識別子は会議資料を一意に識別する識別情報である。アンケート名はアンケートの名称である。回答画面ＵＲＩ及び集計画面ＵＲＩは会議クライアント装置１０の操作者の役割に応じたアンケート画面を表示する場合の接続先を表している。例えば回答画面ＵＲＩは操作者の役割が参加者である場合にアンケートの回答を行うアンケート回答画面を表示する場合の接続先である。集計画面ＵＲＩは操作者の役割が発表者である場合にアンケートの集計を行うアンケート集計画面を表示する場合の接続先である。
【００４９】
図８は役割情報の一例の構成図である。図８の役割情報は項目として役割名、役割識別子、ページ同期、手書きメモ同期、アンケート開始終了、アンケート接続先を有する。
【００５０】
役割名は役割の名称である。図８の役割情報では役割として、発表者、参加者及びオペレータを設けている。役割識別子は役割を一意に識別する識別情報である。例えば役割ＩＤは役割識別子の一例である。
【００５１】
ページ同期、手書きメモ同期及びアンケート開始終了は、その役割の操作者が行うことができる操作（権限）を表している。例えば役割が発表者の操作者はページ同期、手書きメモ同期及びアンケート開始終了の操作を行うことができる。また、役割が参加者の操作者はページ同期、手書きメモ同期及びアンケート開始終了の操作を行えない。役割がオペレータの操作者はアンケート開始終了の操作を行うことができる。
【００５２】
アンケート接続先は操作者の役割に応じたアンケート画面がアンケート回答画面であるかアンケート集計画面であるかを表す情報である。図８の役割情報では操作者の役割が発表者かオペレータである場合に操作者の役割に応じたアンケート画面がアンケート集計画面となる。また、図８の役割情報では操作者の役割が参加者である場合に操作者の役割に応じたアンケート画面がアンケート回答画面となる。このように、役割情報は操作者の役割とアンケート画面を表示する場合の接続先とを対応付けている。
【００５３】
図５及び図６に示すように、会議情報及び資料情報は会議識別子により関連付けられている。したがって、会議で利用する会議資料は、会議情報及び資料情報により特定することができる。
【００５４】
また、図６及び図７に示すように、資料情報及びアンケート情報は資料識別子により関連付けられている。したがって、会議資料が表示されているときに利用するアンケート情報は資料情報及びアンケート情報により特定できる。
【００５５】
さらに、図７及び図８に示すように、アンケート情報及び役割情報は役割識別子により関連付けられている。したがって、会議クライアント装置１０の操作者の役割に応じたアンケート画面を表示する場合の接続先はアンケート情報及び役割情報により特定することができる。
【００５６】
なお、図７のアンケート情報では操作者の役割に応じたアンケート画面を表示する場合の接続先が２つの例を示したが、３つ以上であってもよい。また、図８の役割情報では操作者の役割が３つの例を示したが、２つ又は４つ以上であってもよい。
【００５７】
例えば操作者の役割の他の例としては、会議の進行役、発表者、参加者を役割として設ける例が考えられる。会議の進行役は会議の発表者や会議資料を決める操作を行うことができる。発表者は資料のページ送り（ページ同期）や手書きメモ（手書きメモ同期）や拡大縮小（拡大縮小同期）などの操作を行うことができる。参加者は会議資料の閲覧を行うことができる。
【００５８】
以下、本実施形態の会議システム１では発表者、参加者及びオペレータの３つの役割がある例について説明する。なお、発表者及び参加者の役割は会議中に交代が可能であるものとする。また、会議システム１では、同じ会議に複数の会議クライアント装置１０が参加している場合に、複数の会議クライアント装置１０のうち、一台の会議クライアント装置１０が発表者の役割を持ち、一台以上の会議クライアント装置１０が参加者の役割を持つ。例えば会議中に発表者及び参加者の役割が交代した場合は、これまで発表者の役割を持っていた会議クライアント装置１０の役割が参加者となり、新たに発表者の役割を持つ会議クライアント装置１０の役割が発表者となる。例えば参加者が後述する図１４の画面に示される発表者ボタンを選択することによって、参加者から発表者へ役割を変更するようにしてもよい。また、発表者が次の発表者となる参加者または参加者の会議クライアント装置１０を指定することによって参加者から発表者へ役割を変更させてもよい。
【００５９】
＜処理の詳細＞
以下では、本実施形態に係る会議システム１の処理の詳細について説明する。
【００６０】
《会議参加処理》
図９は会議参加処理の一例のフローチャートである。会議の発表者や参加者は会議クライアント装置１０を操作し、会議サーバ装置１２の会議参加画面（図示せず）へのアクセスを要求する。会議クライアント装置１０の会議画面表示部５１は例えば会議サーバ装置１２の会議参加画面のＵＲＩ等にアクセスすることで会議情報取得要求を行う。
【００６１】
ステップＳ２２において、会議サーバ装置１２の会議制御部６１は会議クライアント装置１０からの会議情報取得要求を受け付ける。ステップＳ２３に進み、情報管理部６４は会議クライアント装置１０からの会議情報取得要求に基づき、開催又は参加できる会議の会議情報を会議情報記憶部６５から取得する。そして、ステップＳ２４において、会議制御部６１は現在、開催又は参加できる会議の会議情報を会議クライアント装置１０に送信する。
【００６２】
ステップＳ２５において、会議クライアント装置１０の会議画面表示部５１は受信した会議情報に基づき、会議参加画面を表示装置５０２などに表示させる。会議参加画面には開催又は参加できる会議の会議情報に基づく会議一覧が含まれる。
【００６３】
ステップＳ２６に進み、会議の発表者や参加者は会議参加画面の会議一覧から開催又は参加する会議を選択する。会議クライアント装置１０の会議画面表示部５１は会議の発表者や参加者により選択された会議への参加要求を会議サーバ装置１２に対して行う。
【００６４】
ステップＳ２７において、会議サーバ装置１２の会議制御部６１は会議クライアント装置１０からの参加要求に基づき、会議クライアント装置１０との通信路（セッション）を確立する。会議サーバ装置１２と会議へ参加している会議クライアント装置１０とは、確立した通信路（セッション）を利用して、会議画面の共有に必要な情報の授受を行う。
【００６５】
このように、会議サーバ装置１２と会議へ参加している会議クライアント装置１０とは確立した通信路（セッション）により、会議サーバ装置１２を介して発表者の会議クライアント装置１０への入力操作を示すメッセージをリアルタイムに配信し、会議画面の共有を実現している。このような通信路（セッション）を利用してリアルタイムにメッセージを配信するためのプロトコルの代表例としてはＸＭＰＰと呼ばれるプロトコルがある。発表者の会議クライアント装置１０への入力操作は例えば資料のページ送り、アンケートの開始指示、アンケートの終了指示などである。なお、後述のアンケート画面の表示のための通信路の代表例としてはＨＴＴＰＳ（Hypertext Transfer Protocol Secure）のプロトコルがある。なお、アンケート画面はＨＴＭＬ（HyperText Markup Language）で記載されている。
【００６６】
ＸＭＰＰは、ＩＥＴＦでＲＦＣ３９２０（Extensible Messaging and Presence Protocol: Core）、ＲＦＣ３９２１（Extensible Messaging and Presence Protocol: Instant Messaging and Presence）として標準化され、また、拡張仕様がＸＥＰとして文書化されている。
【００６７】
ＸＭＰＰでは、グループチャット（Multi-User Chat [XEP-0045]）というサービスを提供できる。グループチャットとは、ＸＭＰＰが提供する会議室（ｒｏｏｍ）に参加している会議クライアント装置１０が会議サーバ装置１２にメッセージを送信すると、そのメッセージが会議サーバ装置１２から会議室に参加しているすべての会議クライアント装置１０に対して配信される機能である。このような通信路としてはＸＭＰＰ以外にも、例えばＸＭＰＰの拡張であるＢＯＳＨ、ＷｅｂＳｏｃｋｅｔ、Ｃｏｍｍｅｔなどのプロトコルを利用できる。
【００６８】
ＢＯＳＨ（Bidirectional-streams Over Synchronous HTTP）[XEP-0206]はＸＭＰＰにおいてＨＴＴＰでメッセージを送受信するための技術である。これらのプロトコルは会議サーバ装置１２からのＰｕｓｈ機能を実現できるものである。Ｐｕｓｈ機能とは、会議クライアント装置１０からリクエストを受けて情報を送るのではなく、会議サーバ装置１２から会議クライアント装置１０に非同期に情報を送信し、会議クライアント装置１０で情報を受信する機能である。なお、一般的なＨＴＴＰ通信でも、会議クライアント装置１０から定期的に情報を取りに行くことにより同様な機能を実現することもできる。
【００６９】
ステップＳ２８において、会議サーバ装置１２の会議制御部６１は参加要求に対する応答として、前述した資料情報、アンケート情報及び役割情報を会議クライアント装置１０に送信する。開催後の会議の場合はステップＳ２８において、現在表示中の会議資料の情報やページの情報、発表者の情報などが含まれていてもよい。
【００７０】
ステップＳ２９において、会議クライアント装置１０の会議画面表示部５１は前述した資料情報、アンケート情報及び役割情報を受信する。ステップＳ３０に進み、会議画面表示部５１は会議参加処理を行う。会議参加処理は、参加する会議の会議資料のデータを資料情報のＵＲＩが示す会議資料のデータの保存場所から取得し、会議画面に表示する処理である。
【００７１】
なお、ステップＳ２８において、アンケート情報は例えば図１０に示すような構成で会議サーバ装置１２から会議クライアント装置１０に送信される。図１０は会議クライアント装置が受信するアンケート情報の一例の構成図である。アンケート情報はアンケート画面の表示に必要な情報が含まれている。
【００７２】
例えば図１０では２つの会議資料にそれぞれ対応付けられたアンケート画面の表示に必要な情報として、アンケート数、一つ以上のアンケート詳細情報が記載されている部分１０００が含まれる。アンケート詳細情報は、アンケート識別子、タイトル、アンケート回答ＵＲＩ、アンケート集計ＵＲＩを含む。
【００７３】
なお、アンケート詳細情報のアンケート識別子、タイトル、アンケート回答ＵＲＩ、アンケート集計ＵＲＩは、図７のアンケート情報のアンケート識別子、アンケート名、回答画面ＵＲＩ、集計画面ＵＲＩに対応している。このように、図１０のアンケート情報の部分１０００は図７のアンケート情報に基づき生成できる。
【００７４】
また、図１０では会議クライアント装置１０の役割と、アンケート集計ＵＲＩ及びアンケート回答ＵＲＩと、を対応付ける部分１００２が含まれる。なお、会議クライアント装置１０の役割と、アンケート集計ＵＲＩ及びアンケート回答ＵＲＩとは、図８の役割情報の役割と、集計画面ＵＲＩ及び回答画面ＵＲＩとに対応している。このように、図１０のアンケート情報の部分１００２は図８の役割情報に基づき生成できる。
【００７５】
《会議クライアント装置における役割判定》
それぞれの会議クライアント装置１０の役割判定部５４は図１１に示すような役割判定処理を行い、自機の役割を判定する。なお、役割判定処理は会議への参加時、自機の端末名に変化があった時、または会議中に役割の変更指示を受信したときに行われる。
【００７６】
図１１は役割判定処理の一例のフローチャートである。ステップＳ４１において会議クライアント装置１０の役割判定部５４は、図５の会議情報に含まれるオペレータ識別子と自機の端末名とを比較する。
【００７７】
ステップＳ４２において、図５の会議情報に含まれるオペレータ識別子と自機の端末名とが一致すれば、役割判定部５４はステップＳ４３に進み、自機にオペレータの役割を付与したあと、ステップＳ４４に進む。また、会議情報に含まれるオペレータ識別子と自機の端末名とが一致しなければ、役割判定部５４はステップＳ４３をスキップしてステップＳ４４に進む。役割判定部５４はステップＳ４４において発表者か否かの役割判定を行い、自機に発表者又は参加者の役割を付与する。
【００７８】
なお、役割判定部５４は判定した自機の役割を例えば図１２のような役割テーブルにより管理する。図１２は役割テーブルの一例の構成図である。図１２の役割テーブルは自機がオペレータであるか否かを示す情報と、自機が発表者であるか参加者であるかを示す情報と、により構成される。
【００７９】
図１２の役割テーブルに示すように、それぞれの会議クライアント装置１０は自機がオペレータであるか否かを示す情報と、自機が発表者であるか参加者であるかを示す情報とにより自機の役割を管理している。なお、会議中、会議クライアント装置１０は役割を変更するＸＭＰＰメッセージを会議サーバ装置１２に送信することで、発表者の役割を付与できる。会議サーバ装置１２は会議クライアント装置１０からの役割を変更するＸＭＰＰメッセージを会議に参加している会議クライアント装置１０に配信し、各会議クライアント装置１０の役割テーブルを更新させる。
【００８０】
図１１のフローチャートではオペレータ識別子と自機の端末名とを比較する例を説明したが、端末名に限らずＭＡＣアドレス、ＩＰアドレス、機番、ユーザ名などを用いるようにしてもよい。ただし、変更が可能な端末名やユーザ名を用いることにより、会議クライアント装置１０はオペレータである状態とオペレータでない状態とを自由に切り替えることができるようになる。なお、オペレータ識別子は正規表現を用いてもよい。
【００８１】
また、本実施形態ではオペレータ識別子を会議情報に含める例を示したが、アンケート情報や会議に対応付いたその他の情報に含ませてもよい。オペレータ識別子をどの情報に含ませるかは例えばオペレータに代行させる発表者の操作の範囲によって決めるようにしてもよい。
【００８２】
《アンケート開始処理》
図１３はアンケート開始処理の一例のフローチャートである。図１３のアンケート開始処理は例えば会議クライアント装置１０に表示されている会議画面のアンケート開始ボタン等を操作者が押下することにより開始される。
【００８３】
ステップＳ６１において、アンケート命令送受信部５２は図１２に示す役割テーブルを参照して自機の操作者がアンケート開始権限を持つか否かを判定する。アンケート命令送受信部５２は自機の役割が発表者であるか、オペレータであるときに、アンケート開始権限を持つと判定する。
【００８４】
操作者がアンケート開始権限を持っていれば、アンケート命令送受信部５２はステップＳ６２に進み、図７のアンケート情報を参照し、会議画面に表示されている会議資料に紐付けられたアンケート一覧を表示する。図１４はアンケート一覧が表示された発表者の会議画面の一例のイメージ図である。なお、図１４は発表者の会議画面１０１０に３つのアンケート名を含むアンケート一覧１０１２が表示された例を表している。
【００８５】
なお、会議クライアント装置１０の操作者がオペレータである場合、アンケート命令送受信部５２は図１５に示すようにアンケート一覧１０２２が表示されたオペレータの会議画面１０２０を表示する。図１５はアンケート一覧が表示されたオペレータの会議画面の一例のイメージ図である。図１５の会議画面１０２０は発表者ボタン１０２４が選択状態となっていない点が図１４の会議画面１０１０と異なる。
【００８６】
ステップＳ６１において操作者がアンケート開始権限を持っていなければ、アンケート命令送受信部５２はアンケート開始命令を送信することなく、図１３のフローチャートの処理を終了する。このようにアンケート開始権限を持っていない操作者はアンケートを開始できない。なお、アンケート開始権限を持っていない会議クライアント装置１０は図１６の会議画面１０３０のようにアンケート開始ボタン１０３２を押下できない状態にしておいてもよい。
【００８７】
ステップＳ６３においてアンケート開始権限を持つ操作者は図１４のアンケート一覧１０１２等から開始したいアンケートを選択する。ステップＳ６４に進み、アンケート命令送受信部５２はアンケート一覧１０１２等から選択されたアンケートのアンケート識別子に基づき、図１７に示すようなアンケート開始命令を生成する。
【００８８】
図１７はアンケート開始命令の一例の構成図である。図１７のアンケート開始命令はアンケート識別子「１２３」を含んでいる例である。ステップＳ６５において、アンケート命令送受信部５２は生成したアンケート開始命令を会議サーバ装置１２に送信し、図１３のフローチャートの処理を終了する。
【００８９】
図１７のアンケート開始命令を受信した会議サーバ装置１２は会議に参加している会議クライアント装置１０にアンケート開始命令を配信する。そして、会議サーバ装置１２からアンケート開始命令を受信した会議クライアント装置１０は図１８に示すアンケート表示処理を実行する。
【００９０】
図１８はアンケート表示処理の一例のフローチャートである。ステップＳ８１において会議クライアント装置１０はアンケート開始命令を受信する。ステップＳ８２において会議クライアント装置１０の役割判定部５４は図１２の役割テーブルを参照し、自機の役割を判定する。そして、アンケート画面表示部５３は図８の役割情報を参照し、操作者の役割がアンケート集計画面を開く役割かアンケート回答画面を開く役割かを判定する。
【００９１】
操作者の役割がアンケート回答画面を開く役割であれば、アンケート画面表示部５３はステップＳ８３に進み、図７のアンケート情報を参照し、アンケート回答画面を表示する場合の接続先である回答画面ＵＲＩを取得する。そして、アンケート画面表示部５３はステップＳ８５に進み、回答画面ＵＲＩに接続してアンケート回答画面を表示する。
【００９２】
一方、操作者の役割がアンケート集計画面を開く役割であればアンケート画面表示部５３はステップＳ８４に進み、図７のアンケート情報を参照し、アンケート集計画面を表示する場合の接続先である集計画面ＵＲＩを取得する。そして、アンケート画面表示部５３はステップＳ８５に進み、集計画面ＵＲＩに接続してアンケート集計画面を表示する。
【００９３】
図１９はアンケート回答画面の一例のイメージ図である。図１９のアンケート回答画面１０５０は回答欄１０５１と回答ボタン１０５２とを有する。役割が参加者である操作者は回答欄１０５１からアンケート結果を入力し、回答ボタン１０５２を押下することによりアンケート結果を会議サーバ装置１２に送信できる。また、図２０はアンケート結果を会議サーバ装置１２に送信したあとのアンケート回答画面の一例のイメージ図である。
【００９４】
図２１はアンケート集計画面の一例のイメージ図である。図２１のアンケート集計画面１０６０は役割が参加者である会議クライアント装置１０から送信されたアンケート結果を集計したものである。例えば図２１のアンケート集計画面はアンケート集計結果のグラフを動的に表示するのに例えばブラウザ上で動作するスクリプトなどを用いて実現することができる。
【００９５】
図２２はアンケート結果集計処理の一例のシーケンス図である。ステップＳ１０１において役割が参加者であるアンケート回答者はアンケート回答画面１０５０の回答欄１０５１にアンケート結果を入力し、回答ボタン１０５２を押下する。
【００９６】
ステップＳ１０２において、参加者の操作する会議クライアント装置１０のアンケート画面表示部５３はアンケート結果を会議サーバ装置１２に送信する。ステップＳ１０３において会議サーバ装置１２の情報管理部６４は受信したアンケート結果でアンケート集計結果を更新する。
【００９７】
ステップＳ１０４において発表者やオペレータの操作する会議クライアント装置１０のアンケート画面表示部５３は定期的に集計画面ＵＲＩに接続し、アンケート集計結果を取得する。アンケート画面表示部５３はアンケート集計結果に変更があれば、表示しているアンケート集計画面１０６０を更新する処理を行う。
【００９８】
図２２のシーケンス図に示した処理により、会議クライアント装置１０に表示されたアンケート集計画面１０６０のアンケート集計結果をリアルタイム又は定期的に更新することができる。
【００９９】
なお、アンケート集計画面１０６０は役割が発表者やオペレータの会議クライアント装置１０の他、会議ディスプレイ装置１４に表示させるようにしてもよい。本実施形態では会議システム１を例として説明したが、クライアント装置を操作する操作者の役割に応じて表示するコンテンツを変化させるシステムに適用できる。
【０１００】
なお、役割が発表者やオペレータの会議クライアント装置１０と会議ディスプレイ装置１４とに表示させる場合に、アンケート集計画面１０６０は一時的に役割が発表者の会議クライアント装置１０のみに表示をさせるようにしてもよい。その場合は、発表者の会議クライアント装置１０上で表示を許可する操作入力を受け付けたことを契機としてオペレータの会議クライアント装置１０や会議ディスプレイ装置１４に対してもアンケート集計画面１０６０を表示させるようにしてもよい。
【０１０１】
具体的には、図１８のステップＳ８２において役割が発表者であると判定された場合にはそのままアンケート集計画面１０６０を表示させる。一方で、役割がオペレータやディスプレイ（例えば発表者の会議クライアント装置１０の画面の表示をする役割）といった役割であると判定された場合にはアンケート集計画面１０６０を表示し、その上に集計結果がわからないようにスクリーンを表示させる。その後、発表者から表示を許可する操作入力を受け付けると、発表者の会議クライアント装置１０は表示を許可する旨を示す操作情報を、役割がオペレータの会議クライアント装置１０やディスプレイの会議ディスプレイ装置１４に送信する。
【０１０２】
表示を許可する旨を示す操作情報を受信した会議クライアント装置１０や会議ディスプレイ装置１４は、集計結果の上に表示させていたスクリーンを非表示にすることで初めてアンケート集計画面１０６０（集計結果）を表示させることができる。このような制御により、本実施形態に係る会議システム１では集計結果の表示を一時的に発表者の会議クライアント装置１０で止めておくことができ、発表者にとって適切なタイミングでアンケートの集計結果を参加者へ発表することができる。
【０１０３】
例えば本実施形態は役割に売り手と買い手がある競りシステムや、役割に講師と生徒がある学習システム、役割に出題者と回答者とがあるクイズシステムなど、様々なシステムに適用できる。また、本実施例は役割に部外者と部内者があるプレゼンテーションシステムなどにおいて、見せる資料を変化させたい場合にも適用できる。
【０１０４】
＜まとめ＞
本実施形態の会議システム１は、アンケートが会議資料のページ送り操作及び会議資料のページ番号に紐付けられているものではないため、アンケートの順番を変えられないという問題や、ページ送りを行わずにアンケートを開始できないという問題が生じない。
【０１０５】
また、本実施形態の会議システム１は、ページ切り替え（任意のページへの移動）や前のページへ戻ったときにもアンケートが開始されてしまうという問題も生じない。さらに本実施形態の会議システム１は、会議の進捗に応じてアンケートを省略することも可能となる。このように、本実施形態の会議システム１は同一の会議資料に紐付けられた一つ以上のアンケートを任意のタイミング、任意の順番に、開始及び終了できる。
【０１０６】
さらに、本実施形態の会議システム１はアンケート開始命令を受信後に会議クライアント装置１０の役割を判定し、その役割に応じて表示するアンケート画面を変更することができる。したがって、本実施形態の会議システム１は会議の開始後に役割が動的に変化する場合であっても、役割に応じたアンケート画面を表示できる。
【０１０７】
例えば本実施形態の会議システム１は会議の開始後にオペレータ識別子と同じ端末名に変更した会議クライアント装置１０の役割がオペレータに変化する。また、本実施形態の会議システム１は役割を変更するＸＭＰＰメッセージを利用することで会議クライアント装置１０の役割が参加者から発表者、又は、発表者から参加者に変化する。
【０１０８】
本実施形態の会議システム１では、会議に参加する前に会議クライアント装置１０が役割情報を取得しておくことで、役割に応じたアンケート画面の種類（アンケート集計画面又はアンケート回答画面）を判定できる。また、本実施形態の会議システム１では会議に参加する前に会議クライアント装置１０がアンケート情報を取得しておくことで、会議資料に対応付けられたアンケート毎にアンケート画面の種類に応じた接続先を判定することができる。
【０１０９】
したがって、本実施形態の会議システム１は会議開始後に役割が動的に変化する会議クライアント装置１０であっても、役割に応じたアンケート集計画面又はアンケート回答画面を各々が表示できる。
【０１１０】
本発明は、具体的に開示された上記の実施形態に限定されるものではなく、特許請求の範囲から逸脱することなく、種々の変形や変更が可能である。例えば会議サーバ装置１２は情報処理装置の一例である。会議クライアント装置１０は端末装置の一例である。会議画面表示部５１は対象コンテンツ表示手段の一例である。役割判定部５４は役割判定手段の一例である。アンケート画面表示部５３は関連コンテンツ表示手段の一例である。アンケート命令送受信部５２は表示命令送信手段の一例である。
【０１１１】
会議情報記憶部６５、資料情報記憶部６６、アンケート情報記憶部６７、役割情報記憶部６８は対象コンテンツ、対象コンテンツと関連付けられた関連コンテンツ情報、役割に応じた前記関連コンテンツの格納場所、を記憶する記憶手段の一例である。会議制御部６１は制御手段の一例である。会議資料は対象コンテンツの一例である。アンケート画面は関連コンテンツの一例である。アンケート一覧は関連コンテンツ一覧の一例である。アンケート開始命令は関連コンテンツの表示命令の一例である。
【０１１２】
なお、会議クライアント装置１０、会議サーバ装置１２及び会議ディスプレイ装置１４を有する会議システム１は一例であって、用途や目的に応じて様々なシステム構成例があることは言うまでもないことである。
【符号の説明】
【０１１３】
１      会議システム
１０    会議クライアント装置
１２    会議サーバ装置
１４    会議ディスプレイ装置
５１    会議画面表示部
５２    アンケート命令送受信部
５３    アンケート画面表示部
５４    役割判定部
５５    会議情報記憶部
５６    資料情報記憶部
５７    アンケート情報記憶部
５８    役割情報記憶部
６１    会議制御部
６２    アンケート画面生成部
６３    アンケート画面送信部
６４    情報管理部
６５    会議情報記憶部
６６    資料情報記憶部
６７    アンケート情報記憶部
６８    役割情報記憶部
５０１、６０１    入力装置
５０２、６０２    表示装置
５０３、６０３    外部Ｉ／Ｆ
５０３ａ、６０３ａ    記録媒体
５０４、６０４    ＲＡＭ（Random Access Memory）
５０５、６０５    ＲＯＭ（Read Only Memory）
５０６、６０６    ＣＰＵ（Central Processing Unit）
５０７、６０７    通信Ｉ／Ｆ
５０８、６０８    ＨＤＤ（Hard Disk Drive）
Ｎ１    ネットワーク
【先行技術文献】
【特許文献】
【０１１４】
【特許文献１】特開２０１１−２３８１７８号公報
【図１】
2020166898.tif 000003
【図２】
2020166898.tif 000004
【図３】
2020166898.tif 000005
【図４】
2020166898.tif 000006
【図５】
2020166898.tif 000007
【図６】
2020166898.tif 000008
【図７】
2020166898.tif 000009
【図８】
2020166898.tif 000010
【図９】
2020166898.tif 000011
【図１０】
2020166898.tif 000012
【図１１】
2020166898.tif 000013
【図１２】
2020166898.tif 000014
【図１３】
2020166898.tif 000015
【図１４】
2020166898.tif 000016
【図１５】
2020166898.tif 000017
【図１６】
2020166898.tif 000018
【図１７】
2020166898.tif 000019
【図１８】
2020166898.tif 000020
【図１９】
2020166898.tif 000021
【図２０】
2020166898.tif 000022
【図２１】
2020166898.tif 000023
【図２２】
2020166898.tif 000024